(57)【要約】【課題】スライドショー再生中にユーザーが希望する写真をより確実に選択して印刷する。【解決手段】写真切替エフェクトとして写真の欠ける比率を徐々に変化させながら１枚ずつ写真を表示させるスライドショー再生を行なうものにおいて、写真の表示面積率Ｓが所定比率Ｓｒｅｆ以上のフレームを表示中にユーザーによる印刷予約がなされたときには（Ｓ１４０）、その写真の印刷予約を受け付け（Ｓ１５０）、写真の表示面積率Ｓが所定比率Ｓｒｅｆ未満のフレームを表示中にユーザーによる印刷予約がなされたときには、その写真の印刷予約を受け付けを拒否する。【選択図】図５
2011235455.tif 000002
【特許請求の範囲】
【請求項１】
複数の画像を記憶する記憶手段に接続され、該記憶されている画像の中から選択された画像を媒体に形成する画像形成装置であって、
画面に画像を表示する表示手段と、
画像を媒体に形成する画像形成手段と、
ユーザーにより操作されて各種指示を受け付ける操作手段と、
前記操作手段を介して画像の表示が指示されたときには、画像全体に対して画像の欠ける割合を徐々に変化させながら複数の画像が順次表示されるよう前記表示手段を制御し、前記表示手段に画像が表示されている最中に前記操作手段を介して画像形成の指示がなされたときには、該画像形成の指示がなされたときに前記表示手段に表示されている画像の欠ける割合が所定値未満の場合には該画像形成の指示を受け付けると共に該受け付けた指示に基づいて画像が前記媒体に形成されるよう前記画像形成手段を制御し、前記画像形成の指示がなされたときに前記表示手段に表示されている画像の欠ける割合が前記所定値以上の場合には前記画像形成の指示の受け付けを拒否する制御手段と
を備える画像形成装置。
【請求項２】
前記制御手段は、表示する画像を切り替える際の画像切替エフェクトとして画像の欠ける割合が徐々に変化するよう前記表示手段を制御する手段である請求項１記載の画像形成装置。
【請求項３】
前記制御手段は、前記画像切替エフェクトとして、画像の欠ける割合を徐々に小さくしながら全体画像を所定時間に亘って表示し、該全体画像を表示した後に該表示した画像の欠ける割合を徐々に大きくすると共に次に表示する画像の欠ける割合を徐々に小さくすることにより画像が切り替えられるよう前記表示手段を制御する手段である請求項２記載の画像形成装置。
【請求項４】
前記制御手段は、フォトブックのページをめくる動作を各フレームで表現すると共に各フレームのページ枠に画像を貼り付けてフレーム単位で描画されるよう前記表示手段を制御する手段である請求項３記載の画像形成装置。
【発明の詳細な説明】
【技術分野】
【０００１】
本発明は、複数の画像を記憶する記憶手段に接続され、該記憶されている画像の中から選択された画像を媒体に形成する画像形成装置に関する。
【背景技術】
【０００２】
従来、この種の画像形成装置としては、複数の写真をスライドショーとして再生するためのスライド表示順などの設定データに基づいて、複数の写真をスライドショー表示順に従って配列して印刷する印刷装置が提案されている（例えば、特許文献１参照）。この装置では、写真プリントの写真の配列がスライドショー表示順となるため、ユーザーは写真プリントを見れば、スライドショーの内容を把握することができるとしている。
【先行技術文献】
【特許文献】
【０００３】
【特許文献１】特開２００７−１２０１５号公報
【発明の概要】
【発明が解決しようとする課題】
【０００４】
ところで、こうしたスライドショー再生が可能なディスプレイ付きの印刷装置では、スライドショー再生中の写真の印刷予約をユーザーの操作により受け付けて印刷を行なえるようにすることにより、ユーザーは写真を見ながら希望する写真を選択することができるため、利便性を高めることができる。しかしながら、スライドショー再生では、表示する写真が所定時間毎に順次切り替わるため、ユーザーから印刷予約の操作がなされるタイミングによっては、印刷予約が受け付けられなかったり、ユーザーが希望する写真とは異なる写真が選択されたりしてしまう。
【０００５】
本発明の画像形成装置は、表示装置に表示中の画像に対して画像形成の指示をユーザーから受け付けて画像を媒体に形成するものにおいて、ユーザーが希望する画像をより確実に選択できるようにすることを主目的とする。
【０００６】
本発明の画像形成装置は、上述の主目的を達成するために以下の手段を採った。
【課題を解決するための手段】
【０００７】
本発明の画像形成装置は、
複数の画像を記憶する記憶手段に接続され、該記憶されている画像の中から選択された画像を媒体に形成する画像形成装置であって、
画面に画像を表示する表示手段と、
画像を媒体に形成する画像形成手段と、
ユーザーにより操作されて各種指示を受け付ける操作手段と、
前記操作手段を介して画像の表示が指示されたときには、画像全体に対して画像の欠ける割合を徐々に変化させながら複数の画像が順次表示されるよう前記表示手段を制御し、前記表示手段に画像が表示されている最中に前記操作手段を介して画像形成の指示がなされたときには、該画像形成の指示がなされたときに前記表示手段に表示されている画像の欠ける割合が所定値未満の場合には該画像形成の指示を受け付けると共に該受け付けた指示に基づいて画像が前記媒体に形成されるよう前記画像形成手段を制御し、前記画像形成の指示がなされたときに前記表示手段に表示されている画像の欠ける割合が前記所定値以上の場合には前記画像形成の指示の受け付けを拒否する制御手段と
を備えることを要旨とする。
【０００８】
この本発明の画像形成装置では、操作手段を介して画像の表示が指示されたときには、画像全体に対して画像の欠ける割合を徐々に変化させながら複数の画像が順次表示されるよう表示手段を制御し、表示手段に画像が表示されている最中に操作手段を介して画像形成の指示がなされたときには、画像形成の指示がなされたときに表示手段に表示されている画像の欠ける割合が所定値未満の場合には画像形成の指示を受け付けると共に受け付けた指示に基づいて画像が媒体に形成されるよう画像形成手段を制御し、画像形成の指示がなされたときに表示手段に表示されている画像の欠ける割合が所定値以上の場合には画像形成の指示の受け付けを拒否する。これにより、表示装置に表示中の画像に対して画像形成の指示をユーザーから受け付けて画像を媒体に形成するものにおいて、ユーザーが希望する画像をより確実に選択できるようにすることができる。ここで、所定割合は、ユーザーが画像の内容を確認できる程度の割合とするものとすることもできる。
【０００９】
こうした本発明の画像形成装置において、前記制御手段は、表示する画像を切り替える際の画像切替エフェクトとして画像の欠ける割合が徐々に変化するよう前記表示手段を制御する手段であるものとすることもできる。こうすれば、画像切替エフェクト中であっても画像形成の指示を受け付けることができる。この態様の本発明の画像形成装置において、前記制御手段は、前記画像切替エフェクトとして、画像の欠ける割合を徐々に小さくしながら全体画像を所定時間に亘って表示し、該全体画像を表示した後に該表示した画像の欠ける割合を徐々に大きくすると共に次に表示する画像の欠ける割合を徐々に小さくすることにより画像が切り替えられるよう前記表示手段を制御する手段であるものとすることもできる。この場合、前記制御手段は、フォトブックのページをめくる動作を各フレームで表現すると共に各フレームのページ枠に画像を貼り付けてフレーム単位で描画されるよう前記表示手段を制御する手段であるものとすることもできる。
【図面の簡単な説明】
【００１０】
【図１】本実施形態であるプリンター２０の外観を示す外観斜視図。
【図２】本実施形態のプリンター２０の機能ブロックを示すブロック図。
【図３】トップメニュー画面７０の一例を示す説明図。
【図４】スライドショー再生の様子を示す説明図。
【図５】スライドショー再生時印刷処理ルーチンの一例を示すフローチャート。
【図６】スライドショー画面から印刷予約を受け付ける様子を示す説明図。
【図７】スライドショー画面から印刷予約を受け付ける様子を示す説明図。
【図８】スライドショー画面から印刷予約して印刷を行なう様子を示す説明図。
【図９】変形例のスライドショー再生の様子を示す説明図。
【図１０】スライドショー画面から印刷予約を受け付ける様子を示す説明図。
【図１１】スライドショー画面から印刷予約を受け付ける様子を示す説明図。
【発明を実施するための形態】
【００１１】
次に、本発明の実施の形態を図面に基づいて説明する。図１は、本発明の一実施形態であるプリンター２０の外観を示す外観斜視図であり、図２は、本実施形態のプリンター２０の機能ブロックを示すブロック図である。
【００１２】
本実施形態のプリンター２０は、印刷機構４０（図２参照）を内蔵しＬ版サイズの用紙に印刷を行なうフォトプリンターとして構成されており、その外観としては、図１に示すように、本体２１の上面には本体２１を持ち運ぶための取っ手２２が、本体２１の背面にはセットした用紙を自動給紙するオートシートフィーダー２３が、本体２１の前面には印刷機構４０により印刷された用紙を保持する排紙トレイ２４と写真や印刷時の設定を確認するための液晶ディスプレイ（ＬＣＤ）２５が、本体２１の側面には電源をオンオフするための電源ボタン２６が、それぞれ設けられている。また、本体２１の前面には、排紙ト
レイ２４に隣接した位置に赤外線通信ポート２８（受光部）が設けられており、この赤外線通信ポート２８に発光部３０ａを向けてリモートコントロール装置３０を操作することにより、プリンター２０を遠隔操作できるようになっている。なお、リモートコントロール装置３０は、プリンター２０を遠隔操作するためのボタン類として、電源をオンオフするための電源ボタン３１と、印刷中に押されると印刷を中止し写真選択画面で押されると印刷枚数や写真の選択を解除するストップ／設定クリアボタン３２と、トップメニュー画面を表示するためのトップメニューボタン３３と、印刷枚数を設定するための印刷枚数設定ボタン（印刷枚数を１枚ずつ増やすプラスボタンおよび印刷枚数を１枚ずつ減らすマイナスボタン）３４と、項目や設定値を選択するための上下左右ボタン３５と、項目を決定したり次の画面に進むためのＯＫボタン３６と、一つ前の画面に戻る戻るボタン３７と、印刷を開始する印刷ボタン３８と、設定画面を表示する設定ボタン３９などを備える。
【００１３】
印刷機構４０は、図２に示すように、左右方向（主走査方向）にループ状に架け渡されたキャリッジベルト４３により駆動されガイド４２に沿って左右に往復するキャリッジ４１と、キャリッジ４１にシアン・マゼンタ・イエロー・ブラック等の各色のインクを供給するインクカートリッジ４４と、各インクカートリッジ４４から供給された各インクに圧力をかけてノズルから用紙Ｓに向けてインクを吐出する印刷ヘッド４５と、副走査方向に用紙Ｓを搬送する搬送ローラー４６とを備える。インクカートリッジ４４は、印刷機構４０の下方に取り付けられており、インクカートリッジ４４がキャリッジ４１上に搭載されていない、いわゆるオフキャリッジタイプである。印刷ヘッド４５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１４】
ＬＣＤ２５は、ＬＣＤコントローラー５４による表示制御を受けて文字や図形，記号などを表示する。ＬＣＤ２５は、本実施形態では、９６０ドット×２４０ドットの画素により構成されている。
【００１５】
また、本実施形態のプリンター２０は、その制御系としては、図２に示すように、プリンター全体の制御を司るメインコントローラー６０と、印刷機構４０を制御するプリンターＡＳＩＣ４８と、赤外線通信ポート２８を介して入力した赤外線信号を操作信号として処理する赤外線通信コントローラー５２と、ＬＣＤ２５を表示制御するＬＣＤコントローラー５４と、メモリーカードスロット５６に挿入されたメモリーカードＭＣに対するデータの書き込みや読み出しを制御するメモリーカードコントローラー５８と、を備え、これらはバス５９を介して互いに電気的に接続されている。
【００１６】
メインコントローラー６０は、ＣＰＵ６１を中心とするマイクロプロセッサーとして構成されており、各種処理プログラムや各種データ、各種テーブルなどを記憶するＲＯＭ６２と、一時的にデータを記憶するＲＡＭ６３と、書き換え可能で電源を切ってもデータは保持されるフラッシュメモリー６４と、電源ボタン２６からの操作信号を入力するインターフェース６５（Ｉ／Ｆ）とを備える。このメインコントローラー６０は、メモリーカードスロット５６に挿入されたメモリーカードＭＣから画像ファイルなどを入力したり、赤外線通信コントローラー５２からの操作信号や印刷機構４０の各部からの検出信号などを入力したりする。また、メインコントローラー６０は、メモリーカードＭＣに編集画像などを保存したり、プリンターＡＳＩＣ４８への指令信号やＬＣＤコントローラー５４への制御信号を出力したりする。
【００１７】
こうして構成された本実施形態のプリンター２０では、トップメニューボタン３３が押されると、トップメニュー画面を表示して各種項目の選択を受け付ける。図３にトップメニュー画面７０の一例を示す。トップメニュー画面７０では、本実施形態では、図示する
ように、メモリーカードＭＣやフラッシュメモリー６４に記憶されている画像データを順次再生するための「フォトスライドショー」や写真を印刷するための「写真の印刷」，写真を多面レイアウトで印刷するレイアウト印刷や写真にフレームを付けて印刷するフレーム印刷などを行なうための「いろいろな印刷」，メモリーカードＭＣ内のデータをフラッシュメモリー６４にバックアップするための「データ管理」の項目がある。ユーザーは、これらの項目のいずれかを上下左右ボタン３５により選択し、ＯＫボタン３６を押すことにより決定することができる。
【００１８】
トップメニュー画面７０でユーザーにより「写真の印刷」が選択されると、写真選択画面によりメモリーカードＭＣに記憶されている写真の中から印刷する写真の選択を受け付け、写真が選択されると続く設定画面により選択された写真の印刷枚数や用紙サイズ，用紙種類，フチ／日付の設定を受け付け、各設定項目が選択されるとプレビュー画面を表示して印刷ボタン３８が押されるのを待つ。印刷ボタン３８が押されると、選択された写真（圧縮画像ファイル）を読み出して解凍し、解凍後のＲＧＢデータをリサイズしてＣＭＹＫデータに色変換し、色変換後のＣＭＹＫデータにハーフトーン処理を施すことにより２値化して印刷データを生成し、生成した印刷データに基づいて印刷機構４０を制御することにより印刷を実行する。
【００１９】
トップメニュー画面７０でユーザーにより「フォトスライドショー」が選択されると、メモリーカードＭＣに記憶されている画像データを読み出して解凍し、解凍後のＲＧＢデータをＬＣＤコントローラー５４に出力することにより、ＬＣＤ２５に順次画像を表示するスライドショー再生を行なう。図４に、スライドショー再生の様子を示す。スライドショー再生は、写真切替エフェクトによる写真の切り替えを伴って所定時間間隔（例えば、数秒間隔）で１枚ずつ写真をＬＣＤ２５に表示するものであり、本実施形態では、図４に示すように、フォトブックのページをめくる動作を各フレームで表現すると共に各フレームのページ枠に再生対象の写真を貼り付けて、これをフレーム単位で描画することにより動画として再生するものとした。
【００２０】
また、本実施形態のプリンター２０では、スライドショー再生中に、印刷枚数設定ボタン３４のプラスボタンが押されると、印刷予約が受け付けられるようになっており、その後に印刷ボタン３８が押されるか、スライドショー再生が完了した後に、印刷予約を受け付けた写真のプレビュー画面を表示し、さらに印刷ボタン３８が押されると、その写真の印刷を実行する。
【００２１】
次に、こうして構成された本実施形態のプリンター２０の動作、特に、スライドショー再生中にユーザーから印刷予約の指示がなされたときの動作について説明する。図５は、スライドショー再生時印刷処理ルーチンの一例を示すフローチャートである。このルーチンは、スライドショー再生が開始されたときに実行される。
【００２２】
スライドショー再生時印刷処理ルーチンが実行されると、メインコントローラー６０のＣＰＵ６１は、まず、印刷予約の操作を受け付ける（ステップＳ１００）。この処理は、前述したように、印刷予約の操作を印刷枚数設定ボタン３４のプラスボタンにより受け付けられるものとしたから、このプラスボタンが押されるのを待つ処理となる。印刷予約の操作が受け付けられると、写真切替エフェクト処理の最中であるか否かを判定し（ステップＳ１１０）、写真切替エフェクト処理の最中でないと判定された場合には、写真は欠けのない１００％の状態で表示されていると判断し、その表示写真を予約リストに登録する（ステップＳ１２０）。一方、写真切替エフェクト中であると判定されると、一部に欠けのある状態で複数枚の写真が表示されていると判断し、対象写真Ｎ（初期値は値１）を設定し（ステップＳ１３０）、表示面積率Ｓが所定比率Ｓｒｅｆ以上の対象写真Ｎを表示しているフレームであるときには（ステップＳ１４０）、対象写真Ｎを予約リストに登録し
（ステップＳ１５０）、表示面積率Ｓが所定比率Ｓｒｅｆ未満の対象写真Ｎを表示しているフレームであるときには（ステップＳ１４０）、対象写真Ｎを予約リストに登録しない。そして、写真番号Ｎを値１だけインクリメントすると共に（ステップＳ１６０）、写真番号Ｎがそのフレームに表示されている写真数Ｎｒｅｆ（本実施形態では、２）よりも大きいと判定されるまでステップＳ１３０に戻って次の対象写真ＮについてステップＳ１３０〜Ｓ１６０の処理を繰り返し実行する（ステップＳ１７０）。ここで、表示面積率Ｓは、写真全体の面積に対する表示されている部分の面積の割合である。したがって、表示面積率Ｓが所定比率Ｓｒｅｆ以上とは、対象写真Ｎが欠けている比率（１−Ｓ）が所定比率（１−Ｓｒｅｆ）以下であることと同義となる。ステップＳ１４０の判定は、本実施形態では、表示面積率Ｓが所定比率Ｓｒｅｆ以上となる写真が表示されるフレームを予め特定しておき、印刷予約の操作がなされたタイミングで表示しているフレームを判定することにより行なうものとした。所定比率Ｓｒｅｆは、ユーザーが写真の内容を把握することができる程度の表示面積率であればよく、例えば、２０％や３０％，４０％などのように定めることができる。
【００２３】
図６および図７に、図４のスライドショー再生中の画面から印刷予約を受け付ける様子を示す。図示するように、写真１が表示中の図４（ａ）のタイミングでユーザーによる印刷予約の操作がなされたときには、写真１が１００％の表示面積率Ｓ（写真が欠けている比率が０％）で表示されているから、写真１の印刷予約を受け付ける（図６（ａ）参照）。また、写真切替エフェクト中の図４（ｂ）のタイミングや図４（ｃ）のタイミングでユーザーによる印刷予約の操作がなされたときには、所定比率Ｓｒｅｆ以上の表示面積率Ｓで表示されている写真１の印刷予約は受け付けるが、所定比率Ｓｒｅｆ未満の表示面積率Ｓで表示されている写真２の印刷予約は受け付けない（図６（ｂ），図６（ｃ）参照）。写真切替エフェクト中の図４（ｄ）のタイミングでユーザーによる印刷予約の操作がなされたときには、写真１も写真２も所定比率Ｓｒｅｆ以上の表示面積率Ｓで表示されているため、写真１および写真２の印刷予約を受け付ける（図７（ｄ）参照）。また、写真切替エフェクト中の図４（ｅ）のタイミングでユーザーによる印刷予約の操作がなされたときには、所定比率Ｓｒｅｆ以上の表示面積率Ｓで表示されている写真２の印刷予約は受け付けるが、所定比率Ｓｒｅｆ未満の表示面積率Ｓで表示されている写真１の印刷予約は受け付けない（図７（ｅ）参照）。写真２が表示中の図４（ｆ）のタイミングでユーザーによる印刷予約の操作がなされたときには、写真２が１００％の表示面積率Ｓ（写真が欠けている比率が０％）で表示されているから、写真２の印刷予約を受け付ける（図７（ｆ）参照）。このように、ユーザーが写真の内容を把握することのできる程度（表示面積率Ｓ）に表示されている写真であれば、写真切替エフェクト中であっても、その写真に対して印刷予約を受け付けるから、ユーザーが希望する写真をより確実に選択して印刷することができる。
【００２４】
そして、予約リストに登録があり且つ印刷ボタン３８が押されたか否か（ステップＳ１８０）、スライドショー再生が完了したか否か（ステップＳ１９０）をそれぞれ判定する。スライドショー再生が完了していないときには、ステップＳ１００に戻ってステップＳ１００〜Ｓ１８０の処理を繰り返し、スライドショー再生が完了したときや、スライドショー再生が完了する前であっても印刷ボタン３８が押されたときには、予約リストに登録した写真のプレビュー画面を表示し（ステップＳ２００）、印刷開始が指示されるのを待って（ステップＳ２１０）、印刷処理を実行して（ステップＳ２２０）、本ルーチンを終了する。なお、スライドショー再生画面から印刷予約して印刷を行なう様子を図８に示す。
【００２５】
ここで、本実施形態の構成要素と本発明の構成要素との対応関係を明らかにする。本実施形態のＬＣＤ２５が本発明の「表示手段」に相当し、印刷機構４０とプリンターＡＳＩＣ４８とが「画像形成手段」に相当し、リモートコントロール装置３０が「操作手段」に
相当し、図５のスライドショー再生時印刷処理ルーチンを実行するメインコントローラー６０が「制御手段」に相当する。
【００２６】
以上説明した本実施形態のプリンター２０によれば、写真切替エフェクトとして写真の欠ける比率を徐々に変化させながら１枚ずつ写真を表示させるスライドショー再生を行なうものにおいて、写真の表示面積率Ｓが所定比率Ｓｒｅｆ以上のフレーム（写真の欠けている比率（１−Ｓ）が所定比率（１−Ｓｒｅｆ）以下のフレーム）を表示中にユーザーによる印刷予約がなされたときには、その写真の印刷予約を受け付け、写真の表示面積率Ｓが所定比率Ｓｒｅｆ未満のフレーム（写真の欠けている比率（１−Ｓ）が所定比率（１−Ｓｒｅｆ）よりも大きいフレーム）を表示中にユーザーによる印刷予約がなされたときには、その写真の印刷予約を受け付けを拒否するから、写真切替エフェクト中であってもユーザーが内容を把握することのできる程度に表示されている写真に対して印刷予約を受け付けることができ、スライドショー再生中にユーザーが希望する写真をより確実に選択して印刷することができる。
【００２７】
上述した実施形態では、フォトブックのページをめくる動作を各フレームで表現すると共に各フレームのページ枠に再生対象の写真を貼り付けてこれをフレーム単位で描画することによりスライドショー再生を行なうものとしたが、スライドショー再生の形態はこれに限定されるものではなく、写真の欠ける割合が徐々に変化しながら写真を切り替える写真切替エフェクト処理をもって写真を順次表示するものであれば、如何なる形態のスライドショー再生であってもよい。図９に、変形例のスライドショー再生の様子を示す。図示するように、１枚の写真１が再生されている状態（図９（ａ）参照）からその１枚の再生時間が経過すると、写真１が徐々に縮小される（図９（ｂ），（ｃ）参照）。このとき、次回以降に再生される４枚の写真２〜５が待機している。前回再生していた写真１の縮小が完了すると、次に再生される写真２が徐々に拡大され（図９（ｄ），（ｅ）参照）、最終的に画面一杯まで拡大されて所定時間（例えば、数秒）に亘ってこの状態を維持する（図９（ｆ）参照）。スライドショー再生は、こうした処理が繰り返されることにより行なわれる。図１０および図１１に、図９のスライドショー再生中の画面から印刷予約を受け付ける様子を示す。図示するように、写真１が表示中の図９（ａ）のタイミングでユーザーによる印刷予約の操作がなされたときには、写真１が１００％の表示面積率Ｓ（写真が欠けている比率が０％）で表示されているから、写真１の印刷予約を受け付ける（図１０（ａ）参照）。また、写真切替エフェクト中の図９（ｂ）のタイミングでユーザーによる印刷予約の操作がなされたときには、所定比率Ｓｒｅｆ以上の表示面積率Ｓで表示されている写真１の印刷予約は受け付けるが、所定比率Ｓｒｅｆ未満の表示面積率Ｓで表示されている写真２〜５の印刷予約は受け付けない（図１０（ｂ）参照）。写真切替エフェクト中の図９（ｃ）のタイミングや図９（ｄ）のタイミングでユーザーによる印刷予約の操作がなされたときには、写真１〜５のいずれも所定比率Ｓｒｅｆ以上の表示面積率Ｓで表示されているため、写真１〜５のすべての写真の印刷予約を受け付ける（図１０（ｃ），図１１（ｄ）参照）。また、写真切替エフェクト中の図９（ｅ）のタイミングでユーザーによる印刷予約の操作がなされたときには、所定比率Ｓｒｅｆ以上の表示面積率Ｓで表示されている写真２〜５の印刷予約は受け付けるが、所定比率Ｓｒｅｆ未満の表示面積率Ｓで表示されている写真３の印刷予約は受け付けない（図１１（ｅ）参照）。写真２が表示中の図９（ｆ）のタイミングでユーザーによる印刷予約の操作がなされたときには、写真２が１００％の表示面積率Ｓ（写真が欠けている比率が０％）で表示されているから、写真２の印刷予約を受け付ける（図１１（ｆ）参照）。
【００２８】
上述した実施形態では、本発明の画像形成装置をプリンター２０に適用して説明したが、これに限られず、原稿の読み取りが可能なスキャナーを備えるマルチファンクションプリンターに適用するものとしたり、ＦＡＸ機能を備えるＦＡＸ装置に適用するなど、スライドショー再生が可能な表示装置付きの画像形成装置であれば、如何なるものに適用する
ものとしても構わない。
【００２９】
なお、本発明は上述した実施形態に何ら限定されることはなく、本発明の技術的範囲に属する限り種々の態様で実施し得ることはいうまでもない。
【符号の説明】
【００３０】
２０  プリンター、２１  本体、２２  取っ手、２３  オートシートフィーダー、２４
排紙トレイ、２５  液晶ディスプレイ、２６  電源ボタン、２８  赤外線通信ポート、３０  リモートコントロール装置、３０ａ  発光部、３１  電源ボタン、３２  ストップ／設定クリアボタン、３３  トップメニューボタン、３４  印刷枚数設定ボタン、３５  上下左右ボタン、３６  ＯＫボタン、３７  戻るボタン、３８  印刷ボタン、３９  設定ボタン、４０  印刷機構、４１  キャリッジ、４２  ガイド、４３  キャリッジベルト、４４  インクカートリッジ、４５  印刷ヘッド、４６  搬送ローラー、４８  プリンターＡＳＩＣ、５２  赤外線通信コントローラー、５４  ＬＣＤコントローラー、５６  メモリーカードスロット、５８  メモリーカードコントローラー、６０  メインコントローラー、６１  ＣＰＵ、６２  ＲＯＭ、６３  ＲＡＭ、６４  フラッシュメモリー、６５  インターフェース（Ｉ／Ｆ）、７０  トップメニュー画面。
【図１】
2011235455.tif 000003
【図２】
2011235455.tif 000004
【図３】
2011235455.tif 000005
【図４】
2011235455.tif 000006
【図５】
2011235455.tif 000007
【図６】
2011235455.tif 000008
【図７】
2011235455.tif 000009
【図８】
2011235455.tif 000010
【図９】
2011235455.tif 000011
【図１０】
2011235455.tif 000012
【図１１】
2011235455.tif 000013